(57)【要約】【課題】操作が簡単であり、清掃作業時間を短縮でき、実用性の高い清掃装置を提供する。【解決手段】本発明の清掃装置は、本体１０を含む。本体１０内には、駆動モータ２０が配置される。駆動モータ２０には、軸ロッド２１が接続される。軸ロッド２１には、環状ブラシ２２が連結される。環状ブラシ２２底部には、複数のブラシ毛２３が設けられる。駆動モータ２０が駆動されたとき、軸ロッド２１が回転することにより、環状ブラシ２２が回転し、環状ブラシ２２のブラシ毛２３が床板又は窓ガラス上の汚れを擦り落とす。これにより、清掃作業を迅速に行うことができる上、清掃作業を自動化することができる。【選択図】図１
2013063132.tif 000002
【特許請求の範囲】
【請求項１】
本体を備える清掃装置であって、
前記本体内には、駆動モータが配置され、前記駆動モータには、軸ロッドが接続され、前記軸ロッドには、環状ブラシが連結され、前記環状ブラシ底部には、複数のブラシ毛が設けられ、前記駆動モータが駆動されたとき、前記軸ロッドが回転することにより、前記環状ブラシが回転し、前記環状ブラシのブラシ毛が床板又は窓ガラス上の汚れを擦り落とし、
前記本体外周には、カバーが環状に設けられ、前記カバー内には、中空の吸着環状溝が環状に設けられ、前記吸着環状溝は、前記本体内と連通し、前記本体には、負圧吸引装置が接続され、前記負圧吸引装置は、負圧吸引力により、前記吸着環状溝内に吸着力を発生させ、前記カバー底部の端部には、少なくとも１つのキャスターが配置され、
前記本体上には、液体噴出装置が配置され、前記液体噴出装置には、液体噴出部が設けられ、前記液体噴出装置には、収容タンクが組み合わされ、前記収容タンクには、水及び洗剤が混合された洗浄剤が収容され、前記液体噴出装置と連通された前記収容タンク内の洗浄剤は、前記液体噴出部から前記環状ブラシ内に噴出され、
清掃作業を行うとき、前記本体を洗浄部位上に配置し、前記駆動モータを起動することにより、前記軸ロッドが回転し、前記環状ブラシが回転し、前記環状ブラシ底部の前記ブラシ毛が汚れを擦り落とし、前記負圧吸引装置が駆動されることにより、前記本体は、前記洗浄部位上に吸着され、前記液体噴出装置が駆動されることにより、前記洗浄剤が前記環状ブラシ内に噴出され、前記キャスターを利用して前記本体を移動させることにより、清掃作業中に発生する汚水が前記吸着環状溝から吸入され、前記本体外部に排出され、これにより、清掃作業の時間短縮及び自動化が可能であることを特徴とする清掃装置。
【請求項２】
前記負圧吸引装置は、前記本体外部に配置され、前記本体と接続されることを特徴とする請求項１に記載の清掃装置。
【請求項３】
前記液体噴出装置及び前記収容タンクは、前記本体外部に配置され、前記本体と接続されることを特徴とする請求項１に記載の清掃装置。
【請求項４】
前記収容タンクは、二槽構造であり、前記二槽構造内には、第１のタンク及び第２のタンクが設けられ、前記第１のタンクは、第１の連通管を介し、前記液体噴出装置と連通し、前記第２のタンクは、第２の連通管を介し、前記負圧吸引装置と連通することを特徴とする請求項１に記載の清掃装置。
【請求項５】
前記本体には、挟持部が設けられ、前記挟持部には、挟持具が装着され、ユーザが前記挟持具を挟持し、床板又は窓ガラス上において、前記本体を移動させることにより、清掃作業が行われることを特徴とする請求項１に記載の清掃装置。
【請求項６】
前記本体上端には、スライド部が設けられ、前記スライド部は、ゴンドラの柵上にスライド可能に配置され、前記スライド部により、前記本体を前記ゴンドラの柵上においてスライドさせることができ、前記ゴンドラを上下左右に移動させることにより、ビルの窓ガラスの清掃作業が行なわれることを特徴とする請求項１に記載の清掃装置。
【発明の詳細な説明】
【技術分野】
【０００１】
本発明は、清掃装置に関し、特に、操作が簡単であり、清掃作業時間を短縮でき、実用性の高い清掃装置に関する。
【背景技術】
【０００２】
周知の通り、家事の中で家屋内の清掃作業が最も煩雑である。特に、床板及び窓ガラスの清掃作業は、水及び洗剤を混合した洗浄剤を吹き付けて擦った後、ワイパー又はモップで拭き取る必要があるため、最も煩雑である。特に、作業中、幾度もモップを洗浄したり、洗浄用の水を交換したりする必要があるため、洗浄剤を吹き付けて擦った後に発生する汚水を拭き取る作業が最も労力がかかる。
【０００３】
現在流行している脱水機能を有する回転モップは、脱水作業には便利であるが、モップを洗浄したり、洗浄用の水を交換する作業は、やはり、必要である。そのため、特に、面積の大きい床板を拭く場合、依然として非常に労力がかかり、一部の問題を解決できるのみである。
【０００４】
現代の都市部においては、高層ビルが林立している。ビルにおける清掃作業の中で最も労力がかかる作業は、窓ガラスの清掃作業である。ビルの窓ガラスの清掃は、費用が高い上、清掃しても汚れが落ちにくいため、紛糾が発生することがある。ビルの窓ガラスの清掃作業は、作業員がゴンドラに乗って上から下に清掃作業を行う。また、清掃作業時、水及び洗剤を混合した洗浄剤を窓ガラスに吹き付けた後、ブラシで擦って汚れを落とし、最後に、ワイパーを使用して残留した汚水又は汚れを拭き取る必要がある。
【０００５】
清掃作業中、まず、水及び洗剤を混合した洗浄剤を窓ガラスに吹き付ける必要があるため、汚水は、下層階に流れる。これにより、汚れ又は汚物が窓ガラス角部の隙間に進入し、ワイパーで拭き取ることができなくなる状況が発生しやすい。また、汚水及び汚物は、下方に流れるため、下層階になるほど、汚れがひどくなり、清掃作業が困難となる。
【先行技術文献】
【特許文献】
【０００６】
【特許文献１】特開平１１−１９７０７８号公報
【発明の概要】
【発明が解決しようとする課題】
【０００７】
本発明の目的は、操作が簡単であり、清掃作業時間を短縮でき、実用性の高い清掃装置を提供することにある。
【課題を解決するための手段】
【０００８】
上述の課題を解決するために、本発明の清掃装置は、本体を含む。本体の上端には、駆動モータが配置される。駆動モータには、軸ロッドが接続される。軸ロッドには、環状ブラシが連結される。環状ブラシ底部には、複数のブラシ毛が設けられる。駆動モータが駆動されたとき、軸ロッドが回転することにより、環状ブラシが回転し、環状ブラシのブラシ毛が床板又は窓ガラス上の汚れを擦り落とす。
【０００９】
本体の外周には、カバーが環状に設けられる。カバー内には、中空の吸着環状溝が環状に設けられる。吸着環状溝は、本体内と連通する。本体には、負圧吸引装置が配置される。負圧吸引装置は、負圧吸引力により、吸着環状溝内に吸着力を発生させる。カバー底部の端部には、少なくとも１つのキャスターが配置される。
【００１０】
本体上には、液体噴出装置が配置される。液体噴出装置には、液体噴出部が設けられる。液体噴出装置には、収容タンクが接続される。収容タンクには、水及び洗剤が混合された洗浄剤が収容される。液体噴出装置と連通された収容タンク内の洗浄剤は、液体噴出部から環状ブラシ内に噴出される。
【００１１】
清掃作業を行うとき、本体を洗浄部位上に配置する。次に、電源を起動することにより、軸ロッドが回転する。これにより、環状ブラシが回転し、環状ブラシ底部のブラシ毛が汚れを擦り落とす。また、負圧吸引装置が駆動されることにより、本体は、洗浄部位上に吸着される。また、液体噴出装置が駆動されることにより、洗浄剤が液体噴出部から環状ブラシ内に噴出される。また、キャスターを利用して本体を移動させることができるため、清掃作業を迅速に行うことができる上、清掃作業を自動化することができる。
【００１２】
負圧吸引装置は、本体外部に配置され、本体と接続される態様でもよい。
【００１３】
液体噴出装置及び収容タンクは、本体外部に配置され、本体と接続される態様でもよい。
【００１４】
収容タンクは、二槽構造でもよい。二槽構造内には、第１のタンク及び第２のタンクが設けられる。第１のタンクは、第１の連通管を介し、液体噴出装置と連通する。第２のタンクは、第２の連通管を介し、負圧吸引装置と連通する。
【００１５】
本体には、挟持部が設けられる。挟持部に挟持具が装着されることにより、ユーザは、挟持具を挟持し、床板又は窓ガラス上において、本体を移動させることができる。
【００１６】
本体上端には、スライド部が設けられる。スライド部は、ゴンドラの柵上にスライド可能に配置される。スライド部により、本体をゴンドラの柵上においてスライドさせることができ、ゴンドラを上下左右に移動させることにより、ビルの窓ガラスの清掃作業が行なわれる。
【発明の効果】
【００１７】
本発明の清掃装置は、汚れを擦り落とす作業と、汚水を回収する作業と、を同時に行うことができるため、迅速に清掃作業を行うことができる。これにより、清掃作業にかかる労力が大幅に低減される上、洗浄効果を高めることができる。特に、ビルの窓ガラスの清掃作業を行うとき、本発明の清掃装置を使用することにより、ユーザは、簡単に清掃作業を行うことができる上、汚れをきれいに除去することができる。即ち、本発明の清掃装置は、実用性が高く、進歩性を有し、産業界に広める価値を有する。
【図面の簡単な説明】
【００１８】
【図１】本発明の一実施形態による清掃装置を示す一部透視斜視図である。
【図２】本発明の一実施形態による清掃装置の使用状態を示す断面図である。
【図３】本発明の一実施形態による清掃装置の使用状態を示す断面図である。
【図４】本発明の一実施形態による清掃装置の使用状態を示す断面図である。
【図５】本発明の一実施形態による清掃装置に挟持具を装着した状態を示す斜視図である。
【図６】本発明の一実施形態による清掃装置をゴンドラに設置して使用する状態を示す斜視図である。
【図７】本発明の一実施形態による清掃装置をゴンドラに設置して使用する状態を示す平面図である。
【発明を実施するための形態】
【００１９】
本発明の目的、特徴および効果を示す実施形態を図面に沿って詳細に説明する。
【００２０】
図１及び図２を参照する。図１及び図２に示すように、本発明の一実施形態による清掃装置は、本体１０を含む。本体１０内には、駆動モータ２０が配置される。駆動モータ２０は、軸ロッド２１を駆動する。軸ロッド２１には、環状ブラシ２２が連結される。環状ブラシ２２の底部には、複数のブラシ毛２３が設けられる。駆動モータ２０が駆動されたとき、軸ロッド２１が駆動されることにより、環状ブラシ２２が回転する。これにより、環状ブラシ２２のブラシ毛２３は、床板又は窓ガラス上の汚れを擦り落とすことができる。
【００２１】
本体１０の外周には、カバー３０が環状に設けられる。カバー３０内には、中空の吸着環状溝３１が環状に設けられる。吸着環状溝３１は、本体１０内と連通する。
【００２２】
本体１０上には、負圧吸引装置３２が配置される。負圧吸引装置３２は、負圧吸引力により、吸着環状溝３１内に吸着力を発生させる。また、カバー３０底部の端部には、複数のキャスター３３が配置される。図４に示すように、本体１０の重量を軽減させるために、負圧吸引装置３２は、本体１０外部に配置され、第２の連通管５４が接続されるのが好ましい。
【００２３】
本体１０上には、液体噴出装置４０が配置される。液体噴出装置４０には、液体噴出部４１が設けられる。液体噴出装置４０には、収容タンク４２が組み合わされる。収容タンク４２には、水及び洗剤が混合された洗浄剤４３が収容される。当然、収容タンク４２は、本体１０外部に配置されるのが好ましく、これにより、本体１０の重量が軽減される。液体噴出装置４０が作動したとき、液体噴出装置４０と連通する収容タンク４２の洗浄剤４３が液体噴出部４１から環状ブラシ２２内に噴出される。
【００２４】
図２を参照する。ユーザが清掃作業を行うとき、本体１０を床板上に配置する。次に、電源を起動すると、駆動モータ２０が駆動され、軸ロッド２１が回転する。このとき、環状ブラシ２２が回転し、環状ブラシ２２底部のブラシ毛２３が床板の汚れを擦り落とす。また、負圧吸引装置３２が駆動されたとき、吸着環状溝３１内に吸着力が発生する。この吸着力により、本体１０は、床板上に吸着される。
【００２５】
液体噴出装置４０が作動したとき、収容タンク４２内の水及び洗剤を含む洗浄剤４３が液体噴出部４１から環状ブラシ２２内に噴出される。また、環状ブラシ２２は、少なくとも１つの貫通空間２２１を有する環状の部材であるため、噴出された洗浄剤４３は、環状ブラシ２２内部に位置する床板上に直接吹き付けられる。また、本体１０底部には、キャスター３３が配置されるため、ユーザは、床板上において、本体１０を手で直接移動させたり、或いは、部材を利用して本体を移動させたりすることができる。本体１０が移動したとき、液体噴出部４１から洗浄剤４３が噴出される上、本体１０内において回転する環状ブラシ２２のブラシ毛２３が汚れを擦ることにより、環状ブラシ２２内に位置する床板の汚れがきれいに除去される。洗浄作業中に発生する汚水は、負圧吸引装置３２により、本体１０が移動して吸着環状溝３１を通過するとき、本体１０内に吸入され、本体１０外部に排出される。
【００２６】
図３を参照する。図３に示すように、本発明の清掃装置には、二槽構造５０を配置してもよい。二槽構造５０内には、第１のタンク５１及び第２のタンク５２が設けられる。第１のタンク５１には、水及び洗剤からなる洗浄剤４３が収容される。第２のタンク５２には、汚水が収容される。第１のタンク５１は、第１の連通管５３を介し、液体噴出装置４０と連通される。これにより、液体噴出装置４０が作動したとき、第１のタンク５１内の洗浄剤４３が吸引される。第２のタンク５２は、第２の連通管５４を介し、負圧吸引装置３２と連通される。これにより、負圧吸引装置３２が作動したとき、本体１０内の吸着環状溝３１が吸引した汚水が第２のタンク５２に収容される。
【００２７】
上述の作動方式により、本発明の清掃装置は、窓ガラスに使用することができる。電源が起動されたとき、負圧吸引装置３２が駆動されることにより、本体１０を窓ガラスに吸着させることができる。また、液体噴出装置４０が作動したとき、収容タンク４２内の水及び洗剤を含む洗浄剤４３が液体噴出部４１から窓ガラス上に噴出される。ユーザが本体１０を移動させることにより、窓ガラスを洗浄することができる。洗浄作業中に発生する汚水は、負圧吸引装置３２により、吸着環状溝３１を通過するとき、本体１０内に吸入され、外部に排出される。
【００２８】
図４を参照する。図４に示すように、本体１０の重量を軽減し、ユーザが本体１０を手で直接移動できるようにするために、負圧吸引装置３２及び液体噴出装置４０は、何れも本体１０外部に配置してもよい。また、二槽構造５０を組み合わせて使用してもよい。これにより、本体１０の重量を大幅に軽減することができる。
【００２９】
図５を参照する。図５は、本発明の一実施形態による清掃装置に挟持具を装着した状態を示す斜視図である。図５に示すように、本体１０上には、挟持部１１が設けられる。挟持部１１に挟持具１２を装着することにより、ユーザは、挟持具１２を挟持し、床板又は窓ガラス上において、本体１０を移動させることができる。
【００３０】
図６及び図７を示す。図６は、本発明の一実施形態による清掃装置をゴンドラに設置して使用する状態を示す斜視図である。図７は、本発明の一実施形態による清掃装置をゴンドラに設置して使用する状態を示す平面図である。図６及び図７に示すように、本体１０の上端には、スライド部１３が設けられる。スライド部１３は、ゴンドラ６０の柵６１上にスライド可能に配置される。スライド部１３により、本体１０をゴンドラ６０の柵６１上においてスライドさせることができる。また、本体１０の吸着環状溝３１により、本体１０をビルの窓ガラスに吸着させることができる。ゴンドラ６０を上下左右に移動させることにより、ビルの窓ガラスの清掃作業を行うことができる。
【００３１】
本発明の清掃装置は、汚れを擦り落とす作業と、汚水を回収する作業と、を同時に行うことができるため、迅速に清掃作業を行うことができる。これにより、清掃作業にかかる労力が大幅に低減される上、洗浄効果を高めることができる。特に、ビルの窓ガラスの清掃作業を行うとき、本発明の清掃装置を使用することにより、ユーザは、簡単に清掃作業を行うことができる上、汚れをきれいに除去することができる。
【００３２】
上述の説明は、本発明の好適な実施形態を示すものであり、本発明の実施形態を限定するものではない。即ち、本発明の趣旨を逸脱しない範囲における修飾又は変更は、全て本発明の保護範囲に含まれる。
【符号の説明】
【００３３】
１０  本体
１１  挟持部
１２  挟持具
１３  スライド部
２０  駆動モータ
２１  軸ロッド
２２  環状ブラシ
２２１  貫通空間
２３  ブラシ毛
３０  カバー
３１  吸着環状溝
３２  負圧吸引装置
３３  キャスター
４０  液体噴出装置
４１  液体噴出部
４２  収容タンク
４３  洗浄剤
５０  二槽構造
５１  第１のタンク
５２  第２のタンク
５３  第１の連通管
５４  第２の連通管
６０  ゴンドラ
６１  柵
【図１】
2013063132.tif 000003
【図２】
2013063132.tif 000004
【図３】
2013063132.tif 000005
【図４】
2013063132.tif 000006
【図５】
2013063132.tif 000007
【図６】
2013063132.tif 000008
【図７】
2013063132.tif 000009